(57)【特許請求の範囲】
【請求項１】
アナログビデオ信号、アナログＰＣ信号及びディジタルビデオ信号の内の１のビデオ信号を選択し、選択されたビデオ信号に基づく画像を表示する表示装置であって、
前記アナログビデオ信号の入力に対応した少なくとも１つのアナログビデオ入力端子と、
前記アナログＰＣ信号の入力に対応した少なくとも１つのアナログＰＣ入力端子と、
前記ディジタルビデオ信号の入力に対応したデジタル端子と、
前記アナログビデオ入力端子、前記アナログＰＣ入力端子及び前記デジタル端子各々に入力されたビデオ信号の内から１つを選択する表示信号処理部と、
前記ディジタルビデオ信号に対応した第１表示仕様情報を格納する第１メモリ部と、
前記ディジタルビデオ信号に対応した第２表示仕様情報を格納する第２メモリ部と、
前記デジタル端子及び前記アナログビデオ入力端子の内の一方を選択する第１選択操作を受け付ける第１入力選択スイッチと、
前記デジタル端子及び前記アナログＰＣ入力端子の内の一方を選択する第２選択操作を受け付ける第２入力選択スイッチと、
前記第１メモリ部及び前記第２メモリ部の内のいずれか一方と前記デジタル端子とを選択的に接続するためのメモリ切替スイッチと、
前記第１選択操作が為された場合には前記デジタル端子及び前記アナログビデオ入力端子の内で当該第１選択操作によって選択された方の端子に入力されたビデオ信号を選択させるべく前記表示信号処理部を制御する一方、前記第２選択操作が為された場合には前記デジタル端子及び前記アナログＰＣ入力端子の内で当該第２選択操作によって選択された方の端子に入力されたビデオ信号を選択させるべく前記表示信号処理部を制御する表示制御部とを具備し、
前記表示制御部は、前記表示信号処理部が前記ディジタルビデオ信号を選択している場合には前記第１メモリ部と前記デジタル端子が接続されるように前記メモリ切替スイッチを制御する第１動作、又は前記第２メモリ部と前記デジタル端子が接続されるように前記メモリ切替スイッチを制御する第２動作を実行することを特徴とする表示装置。
【請求項２】
前記表示制御部は、前記第１選択操作によって前記デジタル端子が選択された場合には前記第１動作を実行する一方、前記第２選択操作によって前記デジタル端子が選択された場合には前記第２動作を実行することを特徴とする請求項１記載の表示装置。
【請求項３】
前記第１入力選択スイッチ及び前記第２入力選択スイッチが設けられている操作部を備え、
前記操作部は、前記第１選択操作及び前記第２選択操作による選択結果を示す信号を前記表示制御部に無線送信することを特徴とする請求項１又は２記載の表示装置。
【請求項４】
前記第１表示仕様情報は、民生機器のＥＤＩＤ（Ｅｘｔｅｎｄｅｄ Ｄｉｓｐｌａｙ Ｉｄｅｎｔｉｆｉｃａｔｉｏｎ Ｄａｔａ）であり、
前記第２表示仕様情報は、パーソナル・コンピュータのＥＤＩＤであることを特徴とする請求項１〜３のいずれか１に記載の表示装置。
【請求項５】
アナログビデオ入力端子に入力されたアナログビデオ信号、アナログＰＣ入力端子に入力されたアナログＰＣ信号、及びデジタル端子に入力されたディジタルビデオ信号の内の１のビデオ信号を選択し、選択されたビデオ信号に基づく画像を表示させる表示方法であって、
前記デジタル端子及び前記アナログビデオ入力端子の内の一方を選択する第１選択操作が為された場合には当該第１選択操作によって選択された方の端子に入力されたビデオ信号を選択する一方、前記デジタル端子及び前記アナログＰＣ入力端子の内の一方を選択する第２選択操作が為された場合には当該第２選択操作によって選択された方の端子に入力されたビデオ信号を選択し、
前記ディジタルビデオ信号が選択された場合には、前記ディジタルビデオ信号に対応した第１表示仕様情報が格納されている第１メモリ部と前記デジタル端子とを接続する第１動作、又は前記ディジタルビデオ信号に対応した第２表示仕様情報が格納されている第２メモリ部と前記デジタル端子とを接続する第２動作を実行することを特徴とする表示方法。
【請求項６】
前記第１選択操作によって前記デジタル端子が選択された場合には前記第１動作を実行する一方、前記第２選択操作によって前記デジタル端子が選択された場合には前記第２動作を実行することを特徴とする請求項５記載の表示方法。
【請求項７】
前記第１表示仕様情報は、民生機器のＥＤＩＤ（Ｅｘｔｅｎｄｅｄ Ｄｉｓｐｌａｙ Ｉｄｅｎｔｉｆｉｃａｔｉｏｎ Ｄａｔａ）であり、
前記第２表示仕様情報は、パーソナル・コンピュータのＥＤＩＤであることを特徴とする請求項５又は６記載の表示方法。
【発明の詳細な説明】
【技術分野】
【０００１】  本発明は、表示装置に関し、特に、デジタル・インターフェイスを備えた表示装置、及びその表示装置における表示方法に関する。
【背景技術】
【０００２】  デジタル・インターフェイスを備え、デジタル信号を処理して、表示を行う表示装置が使用されている。表示装置は、ＰＣ（パーソナル・コンピュータ）に使用される場合と、ＣＥ機器（Ｃｏｎｓｕｍｅｒ  Ｅｌｅｃｔｒｏｎｉｃｓ＝民生機器）に使用される場合がある。ここで、ＣＥ機器は、デジタル映像信号を表示装置に出力する機器である。ＣＥ機器としては、ＳＴＢ（デジタル放送用のセットトップボックス）、ＤＶＤプレーヤーが例示される。ＰＣ（以下ＰＣ機器と称する）又はＣＥ機器の入力に対応したデジタル・インターフェイスを備えた表示装置が望まれる。【０００３】  デジタル・インターフェイスを備えた表示装置は、ホスト機器に表示仕様情報を送信する場合がある。表示仕様情報としては、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）が例示される。ＥＤＩＤは、表示装置の解像度、走査信号の情報、フレームレート、メーカー識別子、表示装置の識別子を含む。ホスト機器は、ＥＤＩＤを参照して、デジタル信号を表示装置の仕様に合う形式で出力する。このような機能は、いわゆるプラグアンドプレイ機能と呼ばれる。【０００４】  ＰＣ機器に対応するＥＤＩＤであるＰＣ対応ＥＤＩＤとＣＥ機器に対応するＥＤＩＤであるＣＥ対応ＥＤＩＤは、互換性が確保されていない場合がある。ＰＣ機器又はＣＥ機器が接続される表示装置は、対応するホスト機器（ＰＣ機器、ＣＥ機器）の仕様に合わせて、ＣＥ機器のＣＥ対応ＥＤＩＤとＰＣ機器のＰＣ対応ＥＤＩＤとを保有する必要があり、適切なＥＤＩＤをホスト機器に出力することにより、ホスト機器から適切なデジタル信号（映像信号）を得ることができる。【０００５】  使用者が手動スイッチを切り替えることにより、適切なＥＤＩＤをホスト機器に出力する表示装置（従来の表示装置）を図１に示す。従来の表示装置は、表示装置入力部１１０と、コントローラ１２０と、図示されない表示部とを具備する。表示装置入力部１１０は、コントローラ１２０に接続されている。コントローラ１２０は、図示されない表示部に接続されている。【０００６】  表示装置入力部１１０は、レシーバ部１１６、ＣＥ対応ＥＤＩＤメモリ部１０３、ＰＣ対応ＥＤＩＤメモリ部１０４、メモリ切替スイッチ１０５、１０６、手動スイッチ１０７、アナログビデオ入力処理部１０８、アナログＰＣ入力処理部１０９、アナログビデオ入力端子１１１、１１２、アナログＰＣ入力端子１１３、１１４、デジタル入力端子１１５を具備する。レシーバ部１１６は、コンテンツ保護システム対応レシーバ部１０１、デジタル伝送レシーバ部１０２を含む。コントローラ１２０は、表示信号処理部１２１、表示制御部１２２を具備する。【０００７】  アナログビデオ入力処理部１０８は、アナログビデオ入力端子１１１、１１２、表示信号処理部１２１に接続されている。アナログビデオ入力端子１１１には図示されないホスト機器が接続される。アナログビデオ入力端子１１２には図示されないホスト機器が接続される。【０００８】  アナログＰＣ入力処理部１０９は、アナログＰＣ入力端子１１３、１１４、表示信号処理部１２１に接続されている。アナログＰＣ入力端子１１３には図示されないホ��ト機器が接続される。アナログＰＣ入力端子１１４には図示されないホスト機器が接続される。【０００９】  レシーバ部１１６（コンテンツ保護システム対応レシーバ部１０１、デジタル伝送レシーバ部１０２）は、デジタル入力端子１１５、表示信号処理部１２１に接続されている。デジタル入力端子１１５は、上記のデジタル・インターフェイスに対応し、デジタル入力端子１１５には、ホスト機器として図示されないＣＥ機器又は図示されないＰＣ機器が接続される。【００１０】  ＣＥ対応ＥＤＩＤメモリ部１０３には、図示されないＣＥ機器に対応した上記のＣＥ対応ＥＤＩＤが格納されている。また、ＰＣ対応ＥＤＩＤメモリ部１０４には、図示されないＰＣ機器に対応した上記のＰＣ対応ＥＤＩＤが格納されている。【００１１】  メモリ切替スイッチ１０５は、デジタル入力端子１１５、レシーバ部１１６、ＣＥ対応ＥＤＩＤメモリ部１０３、及びＰＣ対応ＥＤＩＤメモリ部１０４に接続されている。このメモリ切替スイッチ１０５におけるスイッチングにより、ＣＥ対応ＥＤＩＤメモリ部１０３とＰＣ対応ＥＤＩＤメモリ部１０４のいずれかが、デジタル入力端子１１５に接続される。また、メモリ切替スイッチ１０６も、デジタル入力端子１１５、レシーバ部１１６、ＣＥ対応ＥＤＩＤメモリ部１０３、及びＰＣ対応ＥＤＩＤメモリ部１０４に接続されている。このメモリ切替スイッチ１０６におけるスイッチングにより、ＣＥ対応ＥＤＩＤメモリ部１０３とＰＣ対応ＥＤＩＤメモリ部１０４のいずれかが、デジタル入力端子１１５に接続される。尚、これらメモリ切替スイッチ１０５、１０６は、データラインとクロックラインのそれぞれに対応している。【００１２】  手動スイッチ１０７は、メモリ切替スイッチ１０５、１０６のスイッチングを行うためのものであり、使用者が操作できるように形成されている。使用者が手動スイッチ１０７を操作することにより、ＣＥ対応ＥＤＩＤメモリ部１０３とデジタル入力端子１１５の接続と、ＰＣ対応ＥＤＩＤメモリ部１０４とデジタル入力端子１１５の接続が切り替わる。【００１３】  表示信号処理部１２１は、図示されない表示部に接続されている。表示制御部１２２は、表示信号処理部１２１に接続されている。表示信号処理部１２１は、アナログビデオ入力処理部１０８から入力されるアナログビデオ信号、アナログＰＣ入力処理部１０９から入力されるアナログＰＣ信号、コンテンツ保護システム対応レシーバ部１０１から入力されるデジタルビデオ信号、デジタル伝送レシーバ部１０２から入力されるデジタルＰＣ信号の各表示信号から、１つを選択する。そして、表示信号処理部１２１は、その選択された表示信号に対して適切な信号処理を行い、処理された信号を表示部に出力する。表示制御部１２２は、表示信号処理部１２１が適切な信号処理が行えるための各種設定を行う。【００１４】  使用者が図示されないホスト機器とアナログビデオ入力端子１１１とを使用する場合、アナログビデオ入力処理部１０８には、図示されないホスト機器からアナログビデオ入力端子１１１を介して上記のアナログ信号であるアナログビデオ信号が供給される。表示信号処理部１２１は、アナログビデオ入力端子１１１に接続されたアナログビデオ��力処理部１０８からアナログ信号（アナログビデオ信号）を入力し、そのアナログビデオ信号を図示されない表示部に表示するための映像信号を生成して図示されない表示部に出力する。【００１５】  使用者が図示されないホスト機器とアナログビデオ入力端子１１２とを使用する場合、アナログビデオ入力処理部１０８には、そのホスト機器からアナログビデオ入力端子１１２を介して上記のアナログ信号であるアナログビデオ信号が供給される。表示信号処理部１２１は、アナログビデオ入力端子１１２に接続されたアナログビデオ入力処理部１０８からアナログ信号（アナログビデオ信号）を入力し、そのアナログビデオ信号を図示されない表示部に表示するための映像信号を生成して図示されない表示部に出力する。【００１６】  使用者が図示されないホスト機器とアナログＰＣ入力端子１１３とを使用する場合、アナログＰＣ入力処理部１０９には、そのホスト機器からアナログＰＣ入力端子１１３を介して上記のアナログ信号であるアナログＰＣ信号が供給される。表示信号処理部１２１は、アナログＰＣ入力端子１１３に接続されたアナログＰＣ入力処理部１０９からアナログ信号（アナログＰＣ信号）を入力し、そのアナログＰＣ信号を図示されない表示部に表示するための映像信号を生成して図示されない表示部に出力する。【００１７】  使用者が図示されないホスト機器とアナログＰＣ入力端子１１４とを使用する場合、アナログＰＣ入力処理部１０９には、そのホスト機器からアナログＰＣ入力端子１１４を介して上記のアナログ信号であるアナログＰＣ信号が供給される。表示信号処理部１２１は、アナログＰＣ入力端子１１４に接続されたアナログＰＣ入力処理部１０９からアナログ信号（アナログＰＣ信号）を入力し、そのアナログＰＣ信号を図示されない表示部に表示するための映像信号を生成して図示されない表示部に出力する。【００１８】  使用者は、ホスト機器（図示されないＣＥ機器）とデジタル入力端子１１５とを使用する場合、デジタル入力端子１１５とＣＥ対応ＥＤＩＤメモリ部１０３とを接続させるために手動スイッチ１０７を操作しておく。コンテンツ保護システム対応レシーバ部１０１は、デジタル入力端子１１５とＣＥ対応ＥＤＩＤメモリ部１０３とがメモリ切替スイッチ１０５、１０６を介して接続されるときに使用される。デジタル入力端子１１５にホスト機器（図示されないＣＥ機器）が接続されている場合、そのホスト機器とコンテンツ保護システム対応レシーバ部１０１は、互いにｋｅｙ認証を行う。ＣＥ機器は、上記ｋｅｙ認証が正しい場合、ＣＥ対応ＥＤＩＤメモリ部１０３に格納されたＣＥ対応ＥＤＩＤを参照して、従来の表示装置の仕様に適したデジタル信号としてデジタルビデオ信号をデジタル入力端子１１５に出力する。コンテンツ保護システム対応レシーバ部１０１には、そのＣＥ機器からデジタル入力端子１１５を介して上記のデジタル信号（デジタルビデオ信号）が供給される。【００１９】  ここで、ＣＥ機器からのデジタルビデオ信号は、コンテンツ保護システムに基づいて暗号化（エンコード）されている。デジタル映像の放送において、コンテンツの著作権等の保護のため、コンテンツ保護機能が使用される場合がある。具体的に���、ＤＶＩ（Ｄｅｇｉｔａｌ  Ｖｉｓｕａｌ  Ｉｎｔｅｒｆａｃｅ）に対応したＨＤＣＰ（Ｈｉｇｈ  ｂａｎｄｗｉｄｔｈ  Ｄｉｇｉｔａｌ  Ｐｒｏｔｅｃｔｉｏｎ）が使用される場合がある。コンテンツ保護のため、ＨＤＣＰを利用して、図示されないＣＥ機器と従来の表示装置の間で、デジタル信号を暗号化して伝送する。コンテンツ保護システム対応レシーバ部１０１は、エンコードされたデジタルビデオ信号を復号化（デコード）する。【００２０】  表示信号処理部１２１は、デジタル入力端子１１５に接続されたコンテンツ保護システム対応レシーバ部１０１からデジタル信号（デジタルビデオ信号）を入力し、そのデジタルビデオ信号を図示されない表示部に表示するための映像信号を生成して図示されない表示部に出力する。【００２１】  使用者は、ホスト機器（図示されないＰＣ機器）とデジタル入力端子１１５とを使用する場合、デジタル入力端子１１５とＰＣ対応ＥＤＩＤメモリ部１０４とを接続させるために手動スイッチ１０７を操作しておく。デジタル伝送レシーバ部１０２は、デジタル入力端子１１５とＰＣ対応ＥＤＩＤメモリ部１０４とがメモリ切替スイッチ１０５、１０６を介して接続されるときに使用される。デジタル入力端子１１５にホスト機器（図示されないＰＣ機器）が接続されている場合、そのホスト機器は、ＰＣ対応ＥＤＩＤメモリ部１０４に格納されたＰＣ対応ＥＤＩＤを参照して、従来の表示装置の仕様に適したデジタル信号としてデジタルＰＣ信号をデジタル入力端子１１５に出力する。【００２２】  デジタル伝送レシーバ部１０２には、その図示されないＰＣ機器からデジタル入力端子１１５を介して上記のデジタル信号（デジタルＰＣ信号）が供給される。表示信号処理部１２１は、デジタル入力端子１１５に接続されたデジタル伝送レシーバ部１０２からデジタル信号（デジタルＰＣ信号）を入力し、そのデジタルＰＣ信号を図示されない表示部に表示するための映像信号を生成して図示されない表示部に出力する。【００２３】  使用者は、ＣＥ機器（ホスト機器）とデジタル入力端子１１５とを使用する際、そのＣＥ機器に適切なＥＤＩＤとしてＣＥ対応ＥＤＩＤを従来の表示装置に出力させるために、手動スイッチ１０７を切り替える必要がある。手動スイッチ１０７を切り替えることを使用者が忘れている場合、ＣＥ機器から適切なデジタル信号（映像信号）を得ることができない。同様に、使用者は、ＰＣ機器とデジタル入力端子１１５とを使用する際、そのＰＣ機器に適切なＥＤＩＤとしてＰＣ対応ＥＤＩＤを従来の表示装置に出力させるために、手動スイッチ１０７を切り替える必要がある。手動スイッチ１０７を切り替えることを使用者が忘れている場合、ＰＣ機器から適切なデジタル信号（映像信号）を得ることができない。このため、ホスト機器から適切なデジタル信号を得ることができる表示装置が望まれる。使用者がホスト機器とデジタル入力端子とを使用する際、適切な表示仕様情報を確実に選択することができる表示装置が望まれる。【００２４】  特開２００１−１７５２３０号公報には、ホストからの信号群を入力して、これに基づき画像を表示する表示装置が開示されている。この表示装置は、ホストのインターフェイス形式を判別する��別手段と、表示に係る仕様情報を、接続されるインターフェイス形式ごとに予め記憶している複数個の記憶手段と、判別手段の判別結果に基づいて、インターフェイス形式に応じた仕様情報を前記記憶手段から前記ホスト側へ出力する出力手段とを備えていることを特徴とする。【００２５】  特開２００４−１０２０６７号公報には、ＤＤＣ（Ｄｉｓｐｌａｙ  Ｄａｔａ  Ｃｈａｎｎｅｌ）に対応した映像表示装置が開示されている。この映像表示装置は、１個のＤＤＣ対応不揮発性メモリと、入力する映像信号の種類を示す情報に基づき、複数種類の映像信号用のＥＤＥＤデータのうち、入力する映像信号用のＥＤＩＤデータをＤＤＣ対応不揮発性メモリに書き込む制御手段とを備えていることを特徴とする。【００２６】  また、図１に示されたように、表示装置が、１つのデジタル入力端子１１５と、複数のアナログ入力端子（１１１〜１１４）を有する場合、表示信号処理部１２１は、それら複数の入力端子から１つを選択し、その選択された入力端子からの映像信号（表示信号）を受け入れる必要がある。この入力端子の選択も、使用者の指示に基づいて実行される。具体的には、使用者による操作ボタン等を用いた「ビデオ入力」や「ＲＧＢ入力」の指定により、表示制御部１２２は、表示信号処理部１２１がその指定に応じた入力端子からの表示信号を選択するように制御する。【００２７】  使用者が意識することなく、使用者に負担をかけることなく、入力端子の選択、及びＥＤＩＤの切り替えを行うことができる表示装置が望まれている。表示装置が液晶ディスプレイ、プラズマディスプレイで例示されるデジタルデバイスである場合、今後、デジタル・インターフェイスを搭載した表示装置の需要がさらに伸びることが予想される。この場合、上記の課題を解決することによって、プラズマディスプレイなどのデジタルデバイスディスプレイの需要が広がる可能性がある。
【発明の開示】
【００２８】  本発明の目的は、ホスト機器から適切な表示信号を得ることができる表示装置を提供することにある。
【００２９】  本発明の他の目的は、使用者がホスト機器とデジタル入力端子とを使用する際、適切な表示仕様情報を確実に選択することができる表示装置を提供することにある。
【００３０】  本発明の更に他の目的は、使用者への負担を減らし、使用者にとって使い易い表示装置を提供することにある。
【００３１】  本発明のある観点において、表示装置は、表示信号が入力されるデジタル入力端子を含む複数の入力端子と、複数の入力端子のそれぞれからの複数の表示信号のうちいずれかを選択する表示信号処理部と、第１表示仕様情報を格納する第１メモリ部と、第２表示仕様情報を格納する第２メモリ部と、第１メモリ部と第２メモリ部のいずれかとデジタル入力端子を接続するためのメモリ切替スイッチと、表示信号処理部及びメモリ切替スイッチの動作を制御する表示制御部とを備える。ここで、第１表示仕様情報及び第２表示仕様情報は、デジタル入力端子に入力される表示信号のための仕様情報である。表示制御部は、第１表示仕様情報に対応する表示信号を選択するように表示信号処理部を制御するとともに、第１メモリ部とデジタル入力端子が接続されるようにメモリ切替スイッチを制御する「第１動作」を実行する。また、表示制御部は、第２表示仕様情報に対応する表示信号を選択するように表示信号処理部を制御するとともに、第２メモリ部とデジタル入力端子が接続されるようにメモリ切替スイッチを制御する「第２動作」を実行する。
【００３２】  本発明によれば、表示信号処理部による入力端子の選択と、メモリ切替スイッチにおけるスイッチング（切り替え）が連動している。従って、使用者の負担が低減される。
【００３３】  この表示装置は、使用者が操作するための操作部を更に有する。この操作部は、表示制御部に接続される。また、この操作部は、上記複数の入力端子の少なくとも１つを選択するために使用者によって用いられる、少なくとも１つの入力選択スイッチを有する。表示制御部は、使用者によるその少なくとも１つの入力選択スイッチの操作に応じて、上記「第１動作」と上記「第２動作」の少なくともいずれかを実行する。
【００３４】  また、この表示装置において、上記複数の入力端子は、アナログビデオ信号が入力される少なくとも１つのアナログビデオ入力端子と、アナログＰＣ信号が入力される少なくとも１つのアナログＰＣ入力端子とを更に含んでもよい。この時、操作部は、デジタル入力端子と少なくとも１つのアナログビデオ入力端子のいずれかを選択するための第１入力選択スイッチと、デジタル入力端子と少なくとも１つのアナログＰＣ入力端子のいずれかを選択するための第２入力選択スイッチとを有する。
【００３５】  この時、表示制御部は、使用者の第１入力選択スイッチの操作に応じて、デジタル入力端子と少なくとも１つのアナログビデオ入力端子のいずれかからの表示信号を選択するように、表示信号処理部を制御する。また、表示制御部は、使用者の第２入力選択スイッチの操作に応じて、デジタル入力端子と少なくとも１つのアナログＰＣ入力端子のいずれかからの表示信号を選択するように、表示信号処理部を制御する。更に、使用者の第１入力選択スイッチの操作に応じて、デジタル入力端子からの表示信号が選択された場合、表示制御部は、上記「第１動作」を実行する。また、使用者の第２入力選択スイッチの操作に応じて、デジタル入力端子からの表示信号が選択された場合、表示制御部は、上記「第２動作」を実行する。
【００３６】  本発明に係る表示装置において、上記操作部は、表示制御部に無線で接続されてもよい。
【００３７】  このように、本発明によれば、使用者がホスト機器とデジタル入力端子とを使用する際、使用者の操作によりデジタル入力選択信号を出力することによって、適切な表示仕様情報が選択される。このため、本発明の表示方法によれば、使用者がホスト機器とデジタル入力端子とを使用する際、適切な表示仕様情報を確実に選択することができる。また、適切な表示仕様情報を選択するため、ホスト機器は、適切な表示仕様情報を参照して、表示装置の仕様に適したデジタル信号をデジタル映像入力端子に出力することができる。このため、本発明の表示方法によれば、ホスト機器から適切なデジタル信号を得ることができる。
【００３８】  本発明に係る表示装置において、例えば、上記第１表示仕様情報は、民生機器のＥＤＩＤ（Ｅｘｔｅｎｄｅｄ  Ｄｉｓｐｌａｙ  Ｉｄｅｎｔｉｆｉｃａｔｉｏｎ  Ｄａｔａ）であり、上記第２表示仕様情報は、パーソナル・コンピュータのＥＤＩＤである。
【００３９】  また、本発明に係る表示装置は、複数の入力端子と、表示信号処理部と、ビデオ用ＥＤＩＤを格納する第１メモリ部と、ＰＣ用ＥＤＩＤを格納する第２メモリ部と、メモリ切替スイッチと、複数の入力端子のいずれかを選択する入力選択スイッチとを備える。複数の入力端子は、デジタル表示信号が入力される１つのデジタル入力端子と、アナログビデオ信号が入力される少なくとも１つのアナログビデオ入力端子と、アナログＰＣ信号が入力される少なくとも１つのアナログＰＣ入力端子とを含む。表示信号処理部は、複数の入力端子の何れかを選択し、選択された入力端子から入力される表示信号を表示部において適した信号で表示するための信号処理を行う。メモリ切替スイッチは、デジタル入力端子に第１メモリ部または第２メモリ部を接続する。この時、入力選択スイッチによる選択結果に応じて、メモリ切替スイッチが切り替わり、且つ、表示信号処理部が表示部に表示する表示信号を決定する。
【００４０】  本発明の他の観点において、表示方法は、表示信号が入力されるデジタル入力端子を含む複数の入力端子と、第１表示仕様情報を格納する第１メモリ部と、第２表示仕様情報を格納する第２メモリ部とを有する表示装置における表示方法である。この表示方法は、（Ａ）使用者により第１表示仕様情報と第２表示仕様情報のいずれかが選択されると、複数の入力端子からデジタル入力端子を選択することと、（Ｂ）第１表示仕様情報が選択された場合、第１メモリ部とデジタル入力端子を接続し、第２表示仕様情報が選択された場合、第２メモリ部とデジタル入力端子を接続することと、（Ｃ）第１表示仕様情報が選択された場合、選択されたデジタル入力端子から入力される第１表示仕様情報に適合した表示信号を表示し、第２表示仕様情報が選択された場合、選択されたデジタル入力端子から入力される第２表示仕様情報に適合した表示信号を表示することとを備える。
【００４１】  この表示方法において、第１表示仕様情報は、民生機器のＥＤＩＤであり、第２表示仕様情報は、パーソナル・コンピュータのＥＤＩＤである。
【００４２】  また、本発明に係る表示方法は、使用者にデジタル入力を含む複数の入力から１つの入力を選択させるステップと、使用者がデジタル入力を選択すると、使用者に複数のデジタル機器グループから１つのデジタル機器グループを選択させるステップと、選択されたデジタル機器グループの表示仕様情報を格納するメモリ部を、デジタル入力端子に接続するステップと、入力端子から入力される表示仕様情報に適合した表示信号を表示するステップとを有する。
【００４３】  このように、本発明の表示装置は、ホスト機器から適切な表示信号を得ることができる。
【００４４】  また、本発明の表示装置は、使用者がホスト機器とデジタル入力端子とを使用する際、適切な表示仕様情報を確実に選択することができる。
【００４５】  更に、本発明の表示装置は、使用者への負担を減らし、使用者にとって使い易い。
【図面の簡単な説明】
【００４６】［図１］図１は、一般的な表示装置の構成を示す図である（従来の技術）；
［図２］図２は、本発明の表示装置の構成を示す図である（第１実施形態〜第４実施形態）；
［図３］図３は、本発明の表示装置のＣＥ対応ＥＤＩＤメモリ部に格納されたＣＥ対応ＥＤＩＤを示す図である（第１実施形態〜第４実施形態）；
［図４］図４は、本発明の表示装置のＰＣ対応ＥＤＩＤメモリ部に格納されたＰＣ対応ＥＤＩＤを示す図である（第１実施形態〜第４実施形態）；
［図５］図５は、本発明の表示装置の他の構成を示す図である（第１実施形態〜第４実施形態）；
［図６］図６は、操作部の構成を示す図である（第１実施形態、第２実施形態）；
［図７］図７は、本発明の表示装置の動作を示すフローチャートである（第１実施形態、第２実施形態）；
［図８］図８は、本発明の表示装置の動作としてＰＣ入力セレクト処理を示すフローチャートである（第１実施形態）；
［図９］図９は、本発明の表示装置の動作としてビデオ入力セレクト処理を示すフローチャートである（第１実施形態）；
［図１０］図１０は、本発明の表示装置の動作としてＰＣ入力セレクト処理を示すフローチャートである（第２実施形態）；
［図１１］図１１は、本発明の表示装置の動作としてビデオ入力セレクト処理を示すフローチャートである（第２実施形態）；
［図１２］図１２は、操作部の構成を示す図である（第３実施形態、第４実施形態）；
［図１３］図１３は、本発明の表示装置の動作を示すフローチャートである（第３実施形態、第４実施形態）；
［図１４］図１４は、本発明の表示装置の動作としてＲＧＢボタン押下処理を示すフローチャートである（第３実施形態）；
［図１５］図１５は、本発明の表示装置の動作としてビデオボタン押下処理を示すフローチャートである（第３実施形態）；
［図１６］図１６は、本発明の表示装置の動作としてＲＧＢボタン押下処理を示すフローチャートである（第４実施形態）；
［図１７］図１７は、本発明の表示装置の動作としてビデオボタン押下処理を示すフローチャートである（第４実施形態）。
【発明を実施するための最良の形態】
【００４７】  添付図面を参照して、本発明による表示装置を実施するための最良の形態を以下に説明する。【００４８】  （第１実施形態）
図２は、本発明の第１実施形態に係る表示装置５０の構成を示す図である。表示装置５０は、表示装置入力部１０と、コントローラ２０と、表示部３０と、操作部４０とを具備する。表示装置入力部１０は、コントローラ２０に接続されている。コントローラ２０は、表示部３０と操作部４０とに接続されている。表示部３０としては、プラズマディスプレイ、液晶ディスプレイが例示される。【００４９】  表示装置入力部１０は、デジタル信号を出力するホスト機器（図示されない）、またはアナログ信号を出力するホスト機器（図示されない）と接続される。この表示装置入力部１０は、デジタル信号を出力するホスト機器と接続するためのデジタル・インターフェイスと、アナログ信号を出力するホスト機器と接続するためのアナログ・インターフェイスとを具備する。デジタル信号を出力するホスト機器としては、ＣＥ機器（Ｃｏｎｓｕｍｅｒ  Ｅｌｅｃｔｒｏｎｉｃｓ＝民生機器；デジタル機器グループ）、ＰＣ機器（パーソナル・コンピュータ；デジタル機器グループ）が例示され、デジタル・インターフェイスとしては、ＤＶＩ（Ｄｉｇｉｔａｌ  Ｖｉｓｕａｌ  Ｉｎｔｅｒｆａｃｅ）が例示される。ＣＥ機器としては、ＳＴＢ（デジタル放送用のセットトップボックス）、ＤＶＤプレーヤーが例示される。【００５０】  デジタル・インターフェイスに図示されないＣＥ機器が接続されている場合、そのＣＥ機器は、上記のデジタル信号としてデジタルビデオ信号をデジタル・インターフェイスに出力する。デジタル・インターフェイスに図示されないＰＣ機器が接続されている場合、そのＰＣ機器は、上記のデジタル信号としてデジタルＰＣ信号をデジタル・インターフェイスに出力する。【００５１】  表示装置入力部１０は、レシーバ部１６、ＣＥ対応ＥＤＩＤメモリ部３、ＰＣ対応ＥＤＩＤメモリ部４、メモリ切替スイッチ５、６、アナログビデオ入力処理部８、アナログＰＣ入力処理部９、アナログビデオ入力端子１１、１２、アナログＰＣ入力端子１３、１４、デジタル入力端子１５を具備する。レシーバ部１６は、コンテンツ保護システム対応レシーバ部１、デジタル伝送レシーバ部２を含む。コントローラ２０は、表示信号処理部２１、マイクロコンピュータである表示制御部２２を具備する。【００５２】  アナログビデオ入力処理部８は、アナログビデオ入力端子１１、１２、表示信号処理部２１に接続されている。アナログビデオ入力端子１１は、上記のアナログ・インターフェイスに対応し、アナログビデオ入力端子１１には図示されないホスト機器が接続される。アナログビデオ入力端子１２は、上記のアナログ・インターフェイスに対応し、アナログビデオ入力端子１２には図示されないホスト機器が接続される。【００５３】  アナログＰＣ入力処理部９は、アナログＰＣ入力端子１３、１４、表示信号処理部２１に接続されている。アナログＰＣ入力端子１３は、上記のアナログ・インターフェイスに対応し、アナログＰＣ入力端子１３には図示されないホスト機器が接続される。アナログＰＣ入力端子１４は、上記のアナログ・インターフェイスに対応し、アナログＰＣ入力端子１４には図示されないホスト機器が接続される。【００５４】  レシーバ部１６（コンテンツ保護システム対応レシーバ部１、デジタル伝送レシーバ部２）は、デジタル入力端子１５、表示信号処理部２１に接続されている。デジタル入力端子１５は、上記のデジタル・インターフェイスに対応し、デジタル入力端子１５には、ホスト機器として図示されないＣＥ機器又は図示されないＰＣ機器が接続される。【００５５】  図示されないＣＥ機器と図示されないＰＣ機器とは、表示仕様が異なる。ＣＥ対応ＥＤＩＤメモリ部３には、図示されないＣＥ機器に対応したＥＤＩＤ（Ｅｘｔｅｎｄｅｄ  Ｄｉｓｐｌａｙ  Ｉｄｅｎｔｉｆｉｃａｔｉｏｎ  Ｄａｔａ）であるＣＥ対応ＥＤＩＤが格納されている。ＣＥ対応ＥＤＩＤは、デジタル入力端子１５に図示されないＣＥ機器が接続されたときの表示装置５０の仕様を表す表示仕様情報である。このＣＥ対応ＥＤＩＤは、図示されないＣＥ機器からのデジタルビデオ信号を表示装置５０（表示部３０）に表示するときの表示装置５０（表示部３０）の解像度、走査信号関連情報、フレームレート、メーカーを識別するためのメーカー識別子（ベンダーコード）、表示装置５０を識別するための識別子（シリアル番号）の少なくとも１つを含む情報である（図３参照）。ＣＥ対応ＥＤＩＤの走査信号関連情報は、図示されないＣＥ機器がデジタルビデオ信号を表示装置５０（表示部３０）に表示するときの走査信号の周波数を含む。【００５６】  ＰＣ対応ＥＤＩＤメモリ部４には、図示されないＰＣ機器に対応したＥＤＩＤ（Ｅｘｔｅｎｄｅｄ  Ｄｉｓｐｌａｙ  Ｉｄｅｎｔｉｆｉｃａｔｉｏｎ  Ｄａｔａ）であるＰＣ対応ＥＤＩＤが格納されている。ＰＣ対応ＥＤＩＤは、デジタル入力端子１５に図示されないＰＣ機器が接続されたときの表示装置５０の仕様を表す表示仕様情報である。このＰＣ対応ＥＤＩＤは、図示されないＰＣ機器からのデジタルＰＣ信号を表示装置５０（表示部３０）に表示するときの表示装置５０（表示部３０）の解像度、走査信号関連情報、フレームレート、メーカー識別子（ベンダーコード）、表示装置５０の識別子（シリアル番号）の少なくとも１つを含む情報である（図４参照）。ＰＣ対応ＥＤＩＤの走査信号関連情報は、図示されないＰＣ機器がデジタルＰＣ信号を表示装置５０（表示部３０）に表示するときの走査信号の周波数を含む。【００５７】  メモリ切替スイッチ５は、デジタル入力端子１５、レシーバ部１６、ＣＥ対応ＥＤＩＤメモリ部３、及びＰＣ対応ＥＤＩＤメモリ部４に接続されている。このメモリ切替スイッチ５におけるスイッチングにより、ＣＥ対応ＥＤＩＤメモリ部３とＰＣ対応ＥＤＩＤメモリ部４のいずれかが、デジタル入力端子１５に接続される。また、メモリ切替スイッチ６も、デジタル入力端子１５、レシーバ部１６、ＣＥ対応ＥＤＩＤメモリ部３、及びＰＣ対応ＥＤＩＤメモリ部４に接続されている。このメモリ切替スイッチ６におけるスイッチングにより、ＣＥ対応ＥＤＩＤメモリ部３とＰＣ対応ＥＤＩＤメモリ部４のいずれかが、デジタル入力端子１５に接続される。尚、これらメモリ切替スイッチ５、６は、データラインとクロックラインのそれぞれに対応している。【００５８】  コントローラ２０の表示信号処理部２１は、表示部３０に接続されている。また、コントローラ２０の表示制御部２２は、操作部���０、表示信号処理部２１、及びメモリ切替スイッチ５、６に接続されている。【００５９】  表示信号処理部２１は、アナログビデオ入力処理部８から入力されるアナログビデオ信号、アナログＰＣ入力処理部９から入力されるアナログＰＣ信号、コンテンツ保護システム対応レシーバ部１から入力されるデジタルビデオ信号、デジタル伝送レシーバ部２から入力されるデジタルＰＣ信号の各表示信号から、１つを選択する。そして、表示信号処理部２１は、その選択された表示信号に対して適切な信号処理を行い、処理された信号を表示部３０に出力する。【００６０】  表示制御部２２は、上記表示信号処理部２１が適切な信号処理が行えるための各種設定を行う。具体的には、表示制御部２２は、入力端子選択信号を表示信号処理部２１に出力する。この入力端子選択信号に応じて、上記表示信号処理部２１は、複数の入力端子（１１〜１５）から１つを選択し、その選択された入力端子からの表示信号を受け入れる。【００６１】  更に、本実施の形態によれば、表示制御部２２は、メモリ切替スイッチ５、６の切り替え（スイッチング）を行う。具体的には、表示制御部２２は、コンテンツ保護システム対応レシーバ部１からのデジタルビデオ信号を表示信号処理部２１に選択させるとともに、ＣＥ対応ＥＤＩＤメモリ部３を選択する制御信号をメモリ切替スイッチ５、６に出力する。これにより、メモリ切替スイッチ５、６の切り替えが行われ、デジタル入力端子１５とＣＥ対応ＥＤＩＤメモリ部３が接続される。また、表示制御部２２は、デジタル伝送レシーバ部２からのデジタルＰＣ信号を表示信号処理部２１に選択させるとともに、ＰＣ対応ＥＤＩＤメモリ部４を選択する制御信号をメモリ切替スイッチ５、６に出力する。これにより、メモリ切替スイッチ５、６の切り替えが行われ、デジタル入力端子１５とＰＣ対応ＥＤＩＤメモリ部４が接続される。つまり、本実施の形態に係る表示制御部２２は、表示信号処理部２１が複数の入力端子から適切な１つを選択する処理だけでなく、メモリ切替スイッチ５、６におけるスイッチング処理をも制御する。【００６２】  使用者は、図示されないホスト機器とアナログビデオ入力端子１１とを使用する場合、操作部４０を操作する。このとき、表示制御部２２は、使用者が行う操作部４０の操作に応じて、第１アナログビデオ入力端子選択信号を表示信号処理部２１に出力する。この場合、表示装置５０は、「ビデオ１」選択処理を行う。【００６３】  「ビデオ１」選択処理では、表示信号処理部２１は、第１アナログビデオ入力端子選択信号に応じて、アナログビデオ入力端子１１、１２、アナログＰＣ入力端子１３、１４、デジタル入力端子１５の中のアナログビデオ入力端子１１を選択する。選択されたアナログビデオ入力端子１１に図示されないホスト機器が接続されている場合、アナログビデオ入力処理部８には、図示されないホスト機器からアナログビデオ入力端子１１を介して上記のアナログ信号であるアナログビデオ信号が供給される。表示信号処理部２１は、アナログビデオ入力端子１１に接続されたアナログビデオ入力処理部８からアナログ信号（アナログビデオ信号）を入力し、そのアナログビデオ信号を表示部３０に表示するための映像信号を生成して表示部３０に出力する。【００６４】  使用者は、図示されないホスト機器とアナログビデオ入力端子１２とを使用する場合、操作部４０を操作する。このとき、表示制御部２２は、使用者が行う操作部４０の操作に応じて、第２アナログビデオ入力端子選択信号を表示信号処理部２１に出力する。この場合、表示装置５０は、「ビデオ２」選択処理を行う。【００６５】  「ビデオ２」選択処理では、表示信号処理部２１は、第２アナログビデオ入力端子選択信号に応じて、アナログビデオ入力端子１１、１２、アナログＰＣ入力端子１３、１４、デジタル入力端子１５の中のアナログビデオ入力端子１２を選択する。選択されたアナログビデオ入力端子１２に図示されないホスト機器が接続されている場合、アナログビデオ入力処理部８には、そのホスト機器からアナログビデオ入力端子１２を介して上記のアナログ信号であるアナログビデオ信号が供給される。表示信号処理部２１は、アナログビデオ入力端子１２に接続されたアナログビデオ入力処理部８からアナログ信号（アナログビデオ信号）を入力し、そのアナログビデオ信号を表示部３０に表示するための映像信号を生成して表示部３０に出力する。【００６６】  使用者は、図示されないホスト機器とアナログＰＣ入力端子１３とを使用する場合、操作部４０を操作する。このとき、表示制御部２２は、使用者が行う操作部４０の操作に応じて、第１アナログＰＣ端子選択信号を表示信号処理部２１に出力する。この場合、表示装置５０は、「ＲＧＢ（赤緑青）１」選択処理を行う。【００６７】  「ＲＧＢ１」選択処理では、表示信号処理部２１は、第１アナログＰＣ端子選択信号に応じて、アナログビデオ入力端子１１、１２、アナログＰＣ入力端子１３、１４、デジタル入力端子１５の中のアナログＰＣ入力端子１３を選択する。選択されたアナログＰＣ入力端子１３に図示されないホスト機器が接続されている場合、アナログＰＣ入力処理部９には、そのホスト機器からアナログＰＣ入力端子１３を介して上記のアナログ信号であるアナログＰＣ信号が供給される。表示信号処理部２１は、アナログＰＣ入力端子１３に接続されたアナログＰＣ入力処理部９からアナログ信号（アナログＰＣ信号）を入力し、そのアナログＰＣ信号を表示部３０に表示するための映像信号を生成して表示部３０に出力する。【００６８】  使用者は、図示されないホスト機器とアナログＰＣ入力端子１４とを使用する場合、操作部４０を操作する。このとき、表示制御部２２は、使用者が行う操作部４０の操作に応じて、第２アナログＰＣ端子選択信号を表示信号処理部２１に出力する。この場合、表示装置５０は、「ＲＧＢ２」選択処理を行う。【００６９】  「ＲＧＢ２」選択処理では、表示信号処理部２１は、第２アナログＰＣ端子選択信号に応じて、アナログビデオ入力端子１１、１２、アナログＰＣ入力端子１３、１４、デジタル入力端子１５の中のアナログＰＣ入力端子１４を選択する。選択されたアナログＰＣ入力端子１４に図示されないホスト機器が接続されている場合、アナログＰＣ入力処理部９には、そのホスト機器からアナログＰＣ入力端子１４を介して上記のアナログ信号であるアナログＰＣ信号が供給される。表示信号処理部２１は、アナログＰＣ入力端子１４に接続されたアナログＰＣ入力処理部９からアナログ信号（アナログＰＣ信号）を入力し、そのアナログＰＣ信号を表示部３０に表示するための映像信号を生成して表示部３０に出力する。【００７０】  使用者は、ホスト機器（図示されないＣＥ機器）とデジタル入力端子１５とを使用する場合、操作部４０を操作する。このとき、表示制御部２２は、使用者が行う操作部４０の操作に応じて、デジタルビデオ入力選択信号を表示信号処理部２１に出力する。更に、表示制御部２２は、ＣＥ対応ＥＤＩＤメモリ部３が選択されるような制御信号を、メモリ切替スイッチ５、６に出力する。この場合、表示装置５０は、「ＲＧＢ３／ビデオ３（ビデオ入力モード）」選択処理とＣＥ対応ＥＤＩＤメモリ部選択処理とを同時に行う。【００７１】  「ＲＧＢ３／ビデオ３（ビデオ入力モード）」選択処理では、表示信号処理部２１は、デジタルビデオ入力選択信号に応じて、アナログビデオ入力端子１１、１２、アナログＰＣ入力端子１３、１４、デジタル入力端子１５の中のデジタル入力端子１５を選択する。【００７２】  ＣＥ対応ＥＤＩＤメモリ部選択処理では、表示制御部２２からの制御信号に応答して、メモリ切替スイッチ５、６の切替が行われ、ＣＥ対応ＥＤＩＤメモリ部３とデジタル入力端子１５が接続される。コンテンツ保護システム対応レシーバ部１は、ＣＥ対応ＥＤＩＤメモリ部選択処理が実行されるとき（デジタル入力端子１５とＣＥ対応ＥＤＩＤメモリ部３とがメモリ切替スイッチ５、６を介して接続されるとき）に使用される。選択されたデジタル入力端子１５にＣＥ機器（図示されない）が接続されている場合、そのＣＥ機器とコンテンツ保護システム対応レシーバ部１は、互いにｋｅｙ認証を行う。図示されないＣＥ機器は、上記ｋｅｙ認証が正しい場合、ＣＥ対応ＥＤＩＤメモリ部３に格納されたＣＥ対応ＥＤＩＤを参照して、表示装置５０の仕様に適したデジタル信号としてデジタルビデオ信号をデジタル入力端子１５に出力する。【００７３】  「ＲＧＢ３／ビデオ３（ビデオ入力モード）」選択処理において、コンテンツ保護システム対応レシーバ部１には、そのＣＥ機器からデジタル入力端子１５を介して上記のデジタル信号（デジタルビデオ信号）が供給される。ここで、そのＣＥ機器からのデジタルビデオ信号は、コンテンツ保護システムに基づいて暗号化（エンコード）されている。デジタル映像の放送において、コンテンツの著作権等の保護のため、コンテンツ保護機能が使用される場合がある。具体的には、ＤＶＩ（Ｄｅｇｉｔａｌ  Ｖｉｓｕａｌ  Ｉｎｔｅｒｆａｃｅ）に対応したＨＤＣＰ（Ｈｉｇｈ  ｂａｎｄｗｉｄｔｈ  Ｄｉｇｉｔａｌ  Ｐｒｏｔｅｃｔｉｏｎ  ）が使用される場合がある。コンテンツ保護のため、ＨＤＣＰを利用して、図示されないＣＥ機器と表示装置５０の間で、デジタル信号を暗号化して伝送する。コンテンツ保護システム対応レシーバ部１は、エンコードされたデジタルビデオ信号を復号化（デコード）する。【００７４】  表示信号処理部２１は、デジタル入力端子１５に接続されたコンテンツ保護システム対応レシーバ部１からデジタル信号（デジタルビデオ信号）を入力し、そのデジタルビデオ信号を表示部３０に表示する��めの映像信号を生成して表示部３０に出力する。【００７５】  使用者は、ホスト機器（図示されないＰＣ機器）とデジタル入力端子１５とを使用する場合、操作部４０を操作する。このとき、表示制御部２２は、使用者が行う操作部４０の操作に応じて、デジタルＰＣ入力選択信号を表示信号処理部２１に出力する。更に、表示制御部２２は、ＰＣ対応ＥＤＩＤメモリ部４が選択されるような制御信号を、メモリ切替スイッチ５、６に出力する。この場合、表示装置５０は、「ＲＧＢ３／ビデオ３（ＰＣ入力モード）」選択処理とＰＣ対応ＥＤＩＤメモリ部選択処理とを同時に行う。【００７６】  「ＲＧＢ３／ビデオ３（ＰＣ入力モード）」選択処理では、表示信号処理部２１は、デジタルＰＣ入力選択信号に応じて、アナログビデオ入力端子１１、１２、アナログＰＣ入力端子１３、１４、デジタル入力端子１５の中のデジタル入力端子１５を選択する。【００７７】  ＰＣ対応ＥＤＩＤメモリ部選択処理では、表示制御部２２からの制御信号に応答して、メモリ切替スイッチ５、６の切替が行われ、ＰＣ対応ＥＤＩＤメモリ部４とデジタル入力端子１５が接続される。デジタル伝送レシーバ部２は、ＰＣ対応ＥＤＩＤメモリ部選択処理が実行されるとき（デジタル入力端子１５とＰＣ対応ＥＤＩＤメモリ部４とがメモリ切替スイッチ５、６を介して接続されるとき）に使用される。選択されたデジタル入力端子１５にＰＣ機器が接続されている場合、そのＰＣ機器は、ＰＣ対応ＥＤＩＤメモリ部４に格納されたＰＣ対応ＥＤＩＤを参照して、表示装置５０の仕様に適したデジタル信号としてデジタルＰＣ信号をデジタル入力端子１５に出力する。【００７８】  「ＲＧＢ３／ビデオ３（ＰＣ入力モード）」選択処理において、デジタル伝送レシーバ部２には、そのＰＣ機器からデジタル入力端子１５を介して上記のデジタル信号（デジタルＰＣ信号）が供給される。表示信号処理部２１は、デジタル入力端子１５に接続されたデジタル伝送レシーバ部２からデジタル信号（デジタルＰＣ信号）を入力し、そのデジタルＰＣ信号を表示部３０に表示するための映像信号を生成して表示部３０に出力する。【００７９】  従来では、使用者は、ホスト機器（図示されないＰＣ機器又は図示されないＣＥ機器）とデジタル入力端子１１５とを使用する際、適切なＥＤＩＤ（ＰＣ対応ＥＤＩＤ又はＣＥ対応ＥＤＩＤ）をホスト機器（図示されないＰＣ機器又は図示されないＣＥ機器）に参照させるために、手動スイッチ１０７を切り替える必要があった。このため、手動スイッチ１０７を切り替えることを使用者が忘れている場合、ホスト機器（図示されないＰＣ機器又は図示されないＣＥ機器）から適切なデジタル信号を得ることができなかった。また、別な操作として、使用者は、表示信号処理部１２１に、複数の入力端子（１１１〜１１５）から１つを選択させる必要があった。【００８０】  本発明の第１実施形態に係る表示装置５０によれば、表示信号処理部２１による入力端子（１１〜１５）の選択と、メモリ切替スイッチ５，６におけるスイッチングが連動している。具体的には、使用者がホスト機器（図示されないＰＣ機器又は図示されないＣＥ機器）とデジタル入力端子１５とを使用する際、使用者は、操作部４０を��作する。その操作に応じて、表示制御部２２は、入力選択信号（デジタルビデオ入力選択信号）を表示信号処理部２１に出力すると共に、ＣＥ対応ＥＤＩＤを選択する制御信号をメモリ切替スイッチ５、６に出力する。あるいは、表示制御部２２は、入力選択信号（デジタルＰＣ入力選択信号）を表示信号処理部２１に出力すると共に、ＰＣ対応ＥＤＩＤを選択する制御信号をメモリ切替スイッチ５、６に出力する。このため、本発明の第１実施形態に係る表示装置５０によれば、使用者がホスト機器（図示されないＰＣ機器又は図示されないＣＥ機器）とデジタル入力端子１５とを使用する際、適切なＥＤＩＤを確実に選択することができる。更に、そのＥＤＩＤの選択と入力端子（１１〜１５）の選択が連動しているため、使用者の負担が低減される。【００８１】  また、本発明の第１実施形態に係る表示装置５０によれば、適切なＥＤＩＤが選択されるため、ホスト機器（図示されないＰＣ機器又は図示されないＣＥ機器）は、適切なＥＤＩＤを参照して、表示装置５０の仕様に適したデジタル信号をデジタル映像入力端子１５に出力することができる。このため、本発明の第１実施形態に係る表示装置５０によれば、ホスト機器（図示されないＰＣ機器又は図示されないＣＥ機器）から適切なデジタル信号を得ることができる。【００８２】  図５は、本発明の第１実施形態に係る表示装置５０の他の構成を示す図である。上記の操作部４０は、上述のように、表示装置５０の本体に設けられているが、図５に示されるように、リモートコントロール端末４５に設けられていもよい。この場合、表示装置５０は、操作部４０に代えて、受信部４６を具備し、リモートコントロール端末４５は、上記の操作部４０を具備する。リモートコントロール端末４５は、有線又は無線により本体（表示装置５０）と通信する。受信部４６は、表示制御部２２に接続され、使用者が行う操作部４０の操作に応じた信号を表示制御部２２に出力する。【００８３】  図６は、操作部４０の構成を示す図である。操作部４０は、「ＰＣ入力セレクト」ボタン４１と、「ビデオ入力セレクト」ボタン４２とを備えている。表示制御部２２は、図示されないＰＣ入力用カウンタと、図示されないビデオ入力用カウンタとを備えている。【００８４】  図７は、本発明の第１実施形態に係る表示装置５０の動作を示すフローチャートである。表示制御部２２は、使用者が操作部４０の「ＰＣ入力セレクト」ボタン４１を押下する毎に（ステップＳ１−ＹＥＳ）、図示されないＰＣ入力用カウンタのカウント数ｉに１をインクリメントし、図示されないビデオ入力用カウンタのカウント数ｊをクリアする（ステップＳ２）。この場合、表示装置５０は、後述のＰＣ入力セレクト処理を行う（ステップＳ３）。【００８５】  表示制御部２２は、使用者が操作部４０の「ビデオ入力セレクト」ボタン４２を押下する毎に（ステップＳ１−ＮＯ、Ｓ４−ＹＥＳ）、図示されないＰＣ入力用カウンタのカウント数ｉをクリアし、図示されないビデオ入力用カウンタのカウント数ｊに１をインクリメントする（ステップＳ５）。この場合、表示装置５０は、後述のビデオ入力セレクト処理を行う（ステップＳ６）。【００８６】  図８は、本発明の第１実施形態��係る表示装置５０の動作としてＰＣ入力セレクト処理（ステップＳ３）を示すフローチャートである。図示されないＰＣ入力用カウンタのカウント数ｉが１であるとき、即ち、使用者が操作部４０の「ＰＣ入力セレクト」ボタン４１を１回押したとき（ステップＳ１１−ＹＥＳ）、表示制御部２２は、上記の第１アナログＰＣ端子選択信号を表示信号処理部２１に出力する。この場合、表示装置５０は、上記の「ＲＧＢ１」選択処理を行う（ステップＳ１２）。【００８７】  「ＲＧＢ１」選択処理（ステップＳ１２）では、表示信号処理部２１は、第１アナログＰＣ端子選択信号に応じて、アナログビデオ入力端子１１、１２、アナログＰＣ入力端子１３、１４、デジタル入力端子１５の中のアナログＰＣ入力端子１３を選択する。これにより、表示信号処理部２１は、アナログＰＣ入力端子１３に接続されたアナログＰＣ入力処理部９からアナログＰＣ信号を入力した場合、アナログＰＣ信号を表示部３０に表示するための映像信号を生成して表示部３０に出力することができる。このとき、表示信号処理部２１は、表示部３０の所定の位置に例えば「ＲＧＢ１」をオンスクリーンとして表示することにより、アナログＰＣ入力端子１３からのアナログＰＣ入力映像であることを使用者に通知する。【００８８】  図示されないＰＣ入力用カウンタのカウント数ｉが２であるとき、即ち、使用者が操作部４０の「ＰＣ入力セレクト」ボタン４１をもう一度押したとき（２回目）（ステップＳ１１−ＮＯ、Ｓ１３−ＹＥＳ）、表示制御部２２は、上記の第２アナログＰＣ端子選択信号を表示信号処理部２１に出力する。この場合、表示装置５０は、上記の「ＲＧＢ２」選択処理を行う（ステップＳ１４）。【００８９】  「ＲＧＢ２」選択処理（ステップＳ１４）では、表示信号処理部２１は、第２アナログＰＣ端子選択信号に応じて、アナログビデオ入力端子１１、１２、アナログＰＣ入力端子１３、１４、デジタル入力端子１５の中のアナログＰＣ入力端子１４を選択する。これにより、表示信号処理部２１は、アナログＰＣ入力端子１４に接続されたアナログＰＣ入力処理部９からアナログＰＣ信号を入力した場合、アナログＰＣ信号を表示部３０に表示するための映像信号を生成して表示部３０に出力することができる。このとき、表示信号処理部２１は、表示部３０の所定の位置に例えば「ＲＧＢ２」をオンスクリーンとして表示することにより、アナログＰＣ入力端子１４からのアナログＰＣ入力映像であることを使用者に通知する。【００９０】  図示されないＰＣ入力用カウンタのカウント数ｉが３であるとき、即ち、使用者が操作部４０の「ＰＣ入力セレクト」ボタン４１をもう一度押したとき（３回目）（ステップＳ１１−ＮＯ、Ｓ１３−ＮＯ、Ｓ１５−ＹＥＳ）、表示制御部２２は、上記のデジタルＰＣ入力選択信号を表示信号処理部２１に出力し、制御信号をメモリ切替スイッチ５、６に出力する。この場合、表示装置５０は、上記の「ＲＧＢ３／ビデオ３（ＰＣ入力モード）」選択処理（ステップＳ１６）とＰＣ対応ＥＤＩＤメモリ部選択処理（ステップＳ１７）とを同時に行う。【００９１】  「ＲＧＢ３／ビデオ３（ＰＣ入力モード）」選択処理（ステップＳ１６）では、表示信号処理部２１は、デジ���ルＰＣ入力選択信号に応じて、アナログビデオ入力端子１１、１２、アナログＰＣ入力端子１３、１４、デジタル入力端子１５の中のデジタル入力端子１５を選択する。【００９２】  ＰＣ対応ＥＤＩＤメモリ部選択処理（ステップＳ１７）では、制御信号に応答してメモリ切替スイッチ５，６が切り替えられ、ＰＣ対応ＥＤＩＤメモリ部４とデジタル入力端子１５が接続される。選択されたデジタル入力端子１５にＰＣ機器が接続されている場合、そのＰＣ機器は、ＰＣ対応ＥＤＩＤメモリ部４に格納されたＰＣ対応ＥＤＩＤを参照して、表示装置５０の仕様に適したデジタル信号としてデジタルＰＣ信号をデジタル入力端子１５に出力する。【００９３】  「ＲＧＢ３／ビデオ３（ＰＣ入力モード）」選択処理（ステップＳ１６）において、表示信号処理部２１は、デジタル入力端子１５に接続されたデジタル伝送レシーバ部２からデジタルＰＣ信号を入力し、デジタルＰＣ信号を表示部３０に表示するための映像信号を生成して表示部３０に出力する。このとき、表示信号処理部２１は、表示部３０の所定の位置に例えば「ＲＧＢ３／ビデオ３（ＰＣ入力モード）」をオンスクリーンとして表示することにより、デジタル入力端子１５からのデジタルＰＣ入力映像であることを使用者に通知する。【００９４】  図示されないＰＣ入力用カウンタのカウント数ｉが４であるとき、即ち、使用者が操作部４０の「ＰＣ入力セレクト」ボタン４１をもう一度押したとき（４回目）（ステップＳ１１−ＮＯ、Ｓ１３−ＮＯ、Ｓ１５−ＮＯ）、表示制御部２２は、図示されないＰＣ入力用カウンタのカウント数ｉを１にして（ステップＳ１８）、ステップＳ１１を実行する。【００９５】  図９は、本発明の第１実施形態に係る表示装置５０の動作としてビデオ入力セレクト処理（ステップＳ６）を示すフローチャートである。図示されないビデオ入力用カウンタのカウント数ｊが１であるとき、即ち、使用者が操作部４０の「ビデオ入力セレクト」ボタン４２を１回押したとき（ステップＳ２１−ＹＥＳ）、表示制御部２２は、上記の第１アナログビデオ端子選択信号を表示信号処理部２１に出力する。この場合、表示装置５０は、上記の「ビデオ１」選択処理を行う（ステップＳ２２）。【００９６】  「ビデオ１」選択処理（ステップＳ２２）では、表示信号処理部２１は、第１アナログビデオ端子選択信号に応じて、アナログビデオ入力端子１１、１２、アナログＰＣ入力端子１３、１４、デジタル入力端子１５の中のアナログビデオ端子１１を選択する。これにより、表示信号処理部２１は、アナログビデオ端子１１に接続されたアナログビデオ入力処理部８からアナログビデオ信号を入力した場合、アナログビデオ信号を表示部３０に表示するための映像信号を生成して表示部３０に出力することができる。このとき、表示信号処理部２１は、表示部３０の所定の位置に例えば「ビデオ１」をオンスクリーンとして表示することにより、アナログビデオ入力端子１１からのアナログビデオ入力映像であることを使用者に通知する。【００９７】  図示されないビデオ入力用カウンタのカウント数ｊが２であるとき、即ち、使用者が操作部４０の「ビデオ入力セレクト」ボタン４２をもう一度押したとき（２回目）（ステップＳ���１−ＮＯ、Ｓ２３−ＹＥＳ）、表示制御部２２は、上記の第２アナログビデオ端子選択信号を表示信号処理部２１に出力する。この場合、表示装置５０は、上記の「ビデオ２」選択処理を行う（ステップＳ２４）。【００９８】  「ビデオ２」選択処理（ステップＳ２４）では、表示信号処理部２１は、第２アナログビデオ端子選択信号に応じて、アナログビデオ入力端子１１、１２、アナログＰＣ入力端子１３、１４、デジタル入力端子１５の中のアナログビデオ端子１２を選択する。これにより、表示信号処理部２１は、アナログビデオ端子１２に接続されたアナログビデオ入力処理部８からアナログビデオ信号を入力した場合、アナログビデオ信号を表示部３０に表示するための映像信号を生成して表示部３０に出力することができる。このとき、表示信号処理部２１は、表示部３０の所定の位置に例えば「ビデオ２」をオンスクリーンとして表示することにより、アナログビデオ入力端子１２からのアナログビデオ入力映像であることを使用者に通知する。【００９９】  図示されないビデオ入力用カウンタのカウント数ｊが３であるとき、即ち、使用者が操作部４０の「ビデオ入力セレクト」ボタン４２をもう一度押したとき（３回目）（ステップＳ２１−ＮＯ、Ｓ２３−ＮＯ、Ｓ２５−ＹＥＳ）、表示制御部２２は、上記のデジタルビデオ入力選択信号を表示信号処理部２１に出力し、制御信号をメモリ切替スイッチ５，６に出力する。この場合、表示装置５０は、上記の「ＲＧＢ３／ビデオ３（ビデオ入力モード）」選択処理（ステップＳ２６）とＣＥ対応ＥＤＩＤメモリ部選択処理（ステップＳ２７）とを同時に行う。【０１００】  「ＲＧＢ３／ビデオ３（ビデオ入力モード）」選択処理（ステップＳ２６）では、表示信号処理部２１は、デジタルビデオ入力選択信号に応じて、アナログビデオ入力端子１１、１２、アナログＰＣ入力端子１３、１４、デジタル入力端子１５の中のデジタル入力端子１５を選択する。【０１０１】  ＣＥ対応ＥＤＩＤメモリ部選択処理（ステップＳ２７）では、制御信号に応答してメモリ切替スイッチ５，６が切り替えられ、ＣＥ対応ＥＤＩＤメモリ部３とデジタル入力端子１５が接続される。選択されたデジタル入力端子１５にＣＥ機器が接続されている場合、そのＣＥ機器は、ＣＥ対応ＥＤＩＤメモリ部３に格納されたＣＥ対応ＥＤＩＤを参照して、表示装置５０の仕様に適したデジタル信号としてデジタルビデオ信号をデジタル入力端子１５に出力する。【０１０２】  「ＲＧＢ３／ビデオ３（ビデオ入力モード）」選択処理（ステップＳ２６）において、表示信号処理部２１は、デジタル入力端子１５に接続されたコンテンツ保護システム対応レシーバ部１からデジタルビデオ信号を入力し、デジタルビデオ信号を表示部３０に表示するための映像信号を生成して表示部３０に出力する。このとき、表示信号処理部２１は、表示部３０の所定の位置に例えば「ＲＧＢ３／ビデオ３（ビデオ入力モード）」をオンスクリーンとして表示することにより、デジタル入力端子１５からのデジタルビデオ入力映像であることを使用者に通知する。【０１０３】  図示されないビデオ入力用カウンタのカウント数ｊが４であるとき、即ち、使用者が操作部４０の「ビデオ入力セレクト」���タン４２をもう一度押したとき（４回目）（ステップＳ２１−ＮＯ、Ｓ２３−ＮＯ、Ｓ２５−ＮＯ）、表示制御部２２は、図示されないビデオ入力用カウンタのカウント数ｊを１にして（ステップＳ２８）、ステップＳ２１を実行する。【０１０４】  なお、表示制御部２２は、使用者が操作部４０の「ＰＣ入力セレクト」ボタン４１を４回押したときに、ステップＳ１８を実行し、ステップＳ１１に移行するが、使用者が操作部４０の「ＰＣ入力セレクト」ボタン４１を一定時間（所定時間）押したときに、ステップＳ１８を実行し、ステップＳ１１に移行することもできる。また、表示制御部２２は、使用者が操作部４０の「ビデオ入力セレクト」ボタン４２を４回押したときに、ステップＳ２８を実行し、ステップＳ２１に移行するが、使用者が操作部４０の「ビデオ入力セレクト」ボタン４２を一定時間（所定時間）押したときに、ステップＳ２８を実行し、ステップＳ２１に移行することもできる。【０１０５】  また、ＰＣ入力セレクト処理（ステップＳ３）において、「ＲＧＢ１」選択処理（ステップＳ１２）と、「ＲＧＢ２」選択処理（ステップＳ１４）と、「ＲＧＢ３／ビデオ３（ＰＣ入力モード」選択処理（ステップＳ１６）、ＰＣ対応ＥＤＩＤメモリ部選択処理（ステップＳ１７）とを実行する順番が決められているが、発明を実施するための説明にすぎず、その順番を自由に設定することができる。【０１０６】  また、ビデオ入力セレクト処理（ステップＳ６）において、「ビデオ１」選択処理（ステップＳ２２）と、「ビデオ２」選択処理（ステップＳ２４）と、「ＲＧＢ３／ビデオ３（ビデオ入力モード」選択処理（ステップＳ２６）、ＣＥ対応ＥＤＩＤメモリ部選択処理（ステップＳ２７）とを実行する順番が決められているが、発明を実施するための説明にすぎず、その順番を自由に設定することができる。【０１０７】  また、上記のステップＳ２において、図示されないビデオ入力用カウンタのカウント数ｊをクリアしているが、図示されないビデオ入力用カウンタのカウント数ｊをクリアせずに、そのカウント数ｊを保持することもできる。同様に、上記のステップＳ５において、図示されないＰＣ入力用カウンタのカウント数ｉをクリアしているが、図示されないＰＣ入力用カウンタのカウント数ｉをクリアせずに、そのカウント数ｉを保持することもできる。【０１０８】  本発明の第１実施形態に係る表示装置５０によれば、入力端子（１１〜１５）の選択と、ＥＤＩＤメモリ部（３、４）の選択が連動している。従って、使用者への負担が低減される。これにより、使用者が使用しやすい表示装置５０が提供される。ここで、使用者は、操作部４０の「ＰＣ入力セレクト」ボタン４１あるいは「ビデオ入力セレクト」ボタン４２だけを操作すればよく、手動スイッチを操作する必要がない。また、リモートコントロール端末４５の操作部４０（「ＰＣ入力セレクト」ボタン４１又は「ビデオ入力セレクト」ボタン４２）を操作する場合、使用者は表示装置５０から離れて操作することができるため、使用者への負担がさらに軽減される。更に、適切なＥＤＩＤを選択したときに、表示装置５０の表示部３０にオンスクリーンで入力の信号形態を表示することによって、使用者にとってさらに使い易い表示装置５０が提供される。【０１０９】  本発明の第１実施形態に係る表示装置５０によれば、使用者がホスト機器（図示されないＰＣ機器又は図示されないＣＥ機器）とデジタル入力端子１５とを使用する際、使用者の操作に応じて表示制御部２２によりＰＣ対応ＥＤＩＤが選択され、使用者の操作に応じて表示制御部２２によりＣＥ対応ＥＤＩＤが選択される。このため、本発明の第１実施形態に係る表示装置５０によれば、使用者がホスト機器（図示されないＰＣ機器又は図示されないＣＥ機器）とデジタル入力端子１５とを使用する際、適切なＥＤＩＤを確実に選択することができる。【０１１０】  本発明の第１実施形態に係る表示装置５０によれば、適切なＥＤＩＤを選択するため、ホスト機器（図示されないＰＣ機器又は図示されないＣＥ機器）は、適切なＥＤＩＤを参照して、表示装置５０の仕様に適したデジタル信号をデジタル映像入力端子１５に出力することができる。このため、本発明の第１実施形態に係る表示装置５０によれば、ホスト機器（図示されないＰＣ機器又は図示されないＣＥ機器）から適切なデジタル信号を得ることができる。【０１１１】  （第２実施形態）
本発明の第２実施形態に係る表示装置５０では、第１実施形態にて説明されたＰＣ入力セレクト処理（ステップＳ３）において、操作部４０の「ＰＣ入力セレクト」ボタン４１の押下によって、上記のデジタルＰＣ入力映像から、上記のデジタルビデオ入力映像に切り替える。本発明の第２実施形態に係る表示装置５０では、第１実施形態にて説明されたビデオ入力セレクト処理（ステップＳ６）において、操作部４０の「ビデオ入力セレクト」ボタン４２の押下によって、上記のデジタルビデオ入力映像から、上記のデジタルＰＣ入力映像に切り替える。本発明の第２実施形態に係る表示装置５０では、第１実施形態と重複する説明を省略する。【０１１２】  図１０は、本発明の第２実施形態に係る表示装置５０の動作としてＰＣ入力セレクト処理（ステップＳ３）を示すフローチャートである。図示されないＰＣ入力用カウンタのカウント数ｉが４であるとき、即ち、使用者が操作部４０の「ＰＣ入力セレクト」ボタン４１をもう一度押したとき（４回目）（ステップＳ１１−ＮＯ、Ｓ１３−ＮＯ、Ｓ１５−ＮＯ、Ｓ１９−ＹＥＳ）、表示装置５０は、第１実施形態と同じ「ＲＧＢ３／ビデオ３（ビデオ入力モード）」選択処理（ステップＳ２６）とＣＥ対応ＥＤＩＤメモリ部選択処理（ステップＳ２７）とを同時に行う。【０１１３】  図示されないＰＣ入力用カウンタのカウント数ｉが５であるとき、即ち、使用者が操作部４０の「ＰＣ入力セレクト」ボタン４１をもう一度押したとき（５回目）（ステップＳ１１−ＮＯ、Ｓ１３−ＮＯ、Ｓ１５−ＮＯ、Ｓ１９−ＮＯ）、表示制御部２２は、図示されないＰＣ入力用カウンタのカウント数ｉを１にして（ステップＳ１８）、ステップＳ１１を実行する。【０１１４】  図１１は、本発明の第２実施形態に係る表示装置５０の動作としてビデオ入力セレクト処理（ステップＳ６）を示すフローチャートである。【０１１５】  図示されないＰＣ入力用カウンタのカウント数ｊが４であるとき、即ち、使用者が操作部４０の「ビデオ入力セレクト」ボタン４２をもう一度押したとき（４回目）（ステップＳ２１−ＮＯ、Ｓ２３−ＮＯ、Ｓ２５−ＮＯ、Ｓ２９−ＹＥＳ）、表示装置５０は、第１実施形態と同じ「ＲＧＢ３／ビデオ３（ＰＣ入力モード）」選択処理（ステップＳ１６）とＰＣ対応ＥＤＩＤメモリ部選択処理（ステップＳ１７）とを同時に行う。【０１１６】  図示されないＰＣ入力用カウンタのカウント数ｊが５であるとき、即ち、使用者が操作部４０の「ビデオ入力セレクト」ボタン４２をもう一度押したとき（５回目）（ステップＳ２１−ＮＯ、Ｓ２３−ＮＯ、Ｓ２５−ＮＯ、Ｓ２９−ＮＯ）、表示制御部２２は、図示されないビデオ入力用カウンタのカウント数ｊを１にして（ステップＳ２８）、ステップＳ２１を実行する。【０１１７】  なお、表示制御部２２は、使用者が操作部４０の「ＰＣ入力セレクト」ボタン４１を５回押したときに、ステップＳ１８を実行し、ステップＳ１１に移行するが、使用者が操作部４０の「ＰＣ入力セレクト」ボタン４１を一定時間（所定時間）押したときに、ステップＳ１８を実行し、ステップＳ１１に移行することもできる。また、表示制御部２２は、使用者が操作部４０の「ビデオ入力セレクト」ボタン４２を５回押したときに、ステップＳ２８を実行し、ステップＳ２１に移行するが、使用者が操作部４０の「ビデオ入力セレクト」ボタン４２を一定時間（所定時間）押したときに、ステップＳ２８を実行し、ステップＳ２１に移行することもできる。【０１１８】  また、ＰＣ入力セレクト処理（ステップＳ３）において、「ＲＧＢ１」選択処理（ステップＳ１２）と、「ＲＧＢ２」選択処理（ステップＳ１４）と、「ＲＧＢ３／ビデオ３（ＰＣ入力モード」選択処理（ステップＳ１６）、ＰＣ対応ＥＤＩＤメモリ部選択処理（ステップＳ１７）と、「ＲＧＢ３／ビデオ３（ビデオ入力モード」選択処理（ステップＳ２６）、ＣＥ対応ＥＤＩＤメモリ部選択処理（ステップＳ２７）とを実行する順番が決められているが、発明を実施するための説明にすぎず、その順番を自由に設定することができる。【０１１９】  また、ビデオ入力セレクト処理（ステップＳ６）において、「ビデオ１」選択処理（ステップＳ２２）と、「ビデオ２」選択処理（ステップＳ２４）と、「ＲＧＢ３／ビデオ３（ビデオ入力モード」選択処理（ステップＳ２６）、ＣＥ対応ＥＤＩＤメモリ部選択処理（ステップＳ２７）と、「ＲＧＢ３／ビデオ３（ＰＣ入力モード」選択処理（ステップＳ１６）、ＰＣ対応ＥＤＩＤメモリ部選択処理（ステップＳ１７）とを実行する順番が決められているが、発明を実施するための説明にすぎず、その順番を自由に設定することができる。【０１２０】  本発明の第２実施形態に係る表示装置５０によれば、使用者がホスト機器（図示されないＰＣ機器）とデジタル入力端子１５とを使用するときに、操作部４０の「ＰＣ入力セレクト」ボタン４１を操作すればよく、使用者がホスト機器（図示されないＣＥ機器）とデジタル入力端子１５とを使用するときに、操作部４０の「ＰＣ入力セレクト」ボタン４１を再度操作すればよい。また、使用者がホスト機器（図示されないＣＥ機器）とデジタル入力端子１５とを使用するときに、操作部４０の「ビデオ入力セレクト」ボタン４２を操作すればよく、使用者がホスト機器（図示されないＰＣ機器）とデジタル入力端子１５とを使用するときに、操作部４０の「ビデオ入力セレクト」ボタン４２を再度操作すればよい。このように、本発明の第２実施形態に係る表示装置５０によれば、使用者は、図示されないＰＣ機器と図示されないＣＥ機器とを切り替えるときに、同じボタンで操作すればよいため、第１実施形態の効果に加えて、使用者への負担がさらに軽減され、使用者にとってさらに使い易い。【０１２１】  （第３実施形態）
本発明の第３実施形態に係る表示装置５０では、アナログＰＣ入力端子１３からのアナログＰＣ入力映像、アナログＰＣ入力端子１４からのアナログＰＣ入力映像、デジタル入力端子１５からのデジタルＰＣ入力映像、アナログビデオ入力端子１１からのアナログビデオ入力映像、アナログビデオ入力端子１２からのアナログビデオ入力映像、デジタル入力端子１５からのデジタルビデオ入力映像をダイレクトに切り替える。本発明の第３実施形態に係る表示装置５０では、第１実施形態、第２実施形態と重複する説明を省略する。【０１２２】  図１２は、操作部４０の構成を示す図である。操作部４０は、「ＰＣ入力セレクト」ボタン４１と「ビデオ入力セレクト」ボタン４２とに代えて、「ＲＧＢ１」ボタン５１と「ＲＧＢ２」ボタン５２と「ＲＧＢ３」ボタン５３と「ビデオ１」ボタン６１と「ビデオ２」ボタン６２と「ビデオ３」ボタン６３とを備えている。【０１２３】  図１３は、本発明の第３実施形態に係る表示装置５０の動作を示すフローチャートである。使用者が操作部４０の「ＲＧＢ１」ボタン５１と「ＲＧＢ２」ボタン５２と「ＲＧＢ３」ボタン５３とのうちのいずれか１つの「ＲＧＢ」ボタンを押下したとき（ステップＳ３１−ＹＥＳ）、表示装置５０は、後述のＲＧＢボタン押下処理を行う（ステップＳ３２）。使用者が操作部４０の「ビデオ１」ボタン６１と「ビデオ２」ボタン６２と「ビデオ３」ボタン６３とのうちのいずれか１つの「ビデオ」ボタンを押下したとき（ステップＳ３１−ＮＯ、Ｓ３３−ＹＥＳ）、表示装置５０は、後述のビデオボタン押下処理を行う（ステップＳ３４）。【０１２４】  図１４は、本発明の第３実施形態に係る表示装置５０の動作としてＲＧＢボタン押下処理（ステップＳ３２）を示すフローチャートである。使用者が操作部４０の「ＲＧＢ１」ボタン５１を押したとき（ステップＳ４１−ＹＥＳ）、表示制御部２２は、上記の第１アナログＰＣ端子選択信号を表示信号処理部２１に出力する。この場合、表示装置５０は、第１実施形態と同じ「ＲＧＢ１」選択処理を行う（ステップＳ１２）。【０１２５】  使用者が操作部４０の「ＲＧＢ２」ボタン５２を押したとき（ステップＳ４１−ＮＯ、Ｓ４２−ＹＥＳ）、表示制御部２２は、上記の第２アナログＰＣ端子選択信号を表示信号処理部２１に出力する。この場合、表示装置５０は、第１実施形態と同じ「ＲＧＢ２」選択処理を行う（ステップＳ１４）。【０１２６】  使用者が操作部４０の「ＲＧＢ３」ボタン５３を押したとき（ステップＳ４１−ＮＯ、Ｓ４２−ＮＯ、Ｓ４３）、表示制御部２２は、上記のデジタルＰＣ入力選択信号を表示信号処理部２１に出力する。この場合、表示装置５０は、第１実施形態と同じ「ＲＧＢ３／ビデオ３（ＰＣ入力モード）」選択処理（ステップＳ１６）とＰＣ対応ＥＤＩＤメモリ部選択処理（ステップＳ１７）とを同時に行う。【０１２７】  図１５は、本発明の第３実施形態に係る表示装置５０の動作としてビデオボタン押下処理（ステップＳ３４）を示すフローチャートである。使用者が操作部４０の「ビデオ１」ボタン６１を押したとき（ステップＳ５１−ＹＥＳ）、表示制御部２２は、上記の第１アナログビデオ端子選択信号を表示信号処理部２１に出力する。この場合、表示装置５０は、第１実施形態と同じ「ビデオ１」選択処理を行う（ステップＳ２２）。【０１２８】  使用者が操作部４０の「ビデオ２」ボタン６２を押したとき（ステップＳ５１−ＮＯ、Ｓ５２−ＹＥＳ）、表示制御部２２は、上記の第２アナログビデオ端子選択信号を表示信号処理部２１に出力する。この場合、表示装置５０は、第１実施形態と同じ「ビデオ２」選択処理を行う（ステップＳ２４）。【０１２９】  使用者が操作部４０の「ビデオ３」ボタン６３を押したとき（ステップＳ５１−ＮＯ、Ｓ５２−ＮＯ、Ｓ５３）、表示制御部２２は、上記のデジタルビデオ入力選択信号を表示信号処理部２１に出力する。この場合、表示装置５０は、第１実施形態と同じ「ＲＧＢ３／ビデオ３（ビデオ入力モード）」選択処理（ステップＳ２６）とＣＥ対応ＥＤＩＤメモリ部選択処理（ステップＳ２７）とを同時に行う。【０１３０】  本発明の第３実施形態に係る表示装置５０によれば、使用者がホスト機器（図示されないＰＣ機器）とデジタル入力端子１５とを使用するときに、操作部４０の「ＲＧＢ３」ボタン５３を操作すればよい。また、使用者がホスト機器（図示されないＣＥ機器）とデジタル入力端子１５とを使用するときに、操作部４０の「ビデオ３」ボタン６３を操作すればよい。このように、本発明の第３実施形態に係る表示装置５０によれば、使用者は、図示されないＰＣ機器と図示されないＣＥ機器とを切り替えるときに、ダイレクトに表示装置５０からホスト機器（図示されないＰＣ機器又は図示されないＣＥ機器）に適切なＥＤＩＤ（ＰＣ対応ＥＤＩＤ又はＣＥ対応ＥＤＩＤ）が出力されるため、第１実施形態の効果に加えて、使用者への負担がさらに軽減され、使用者にとってさらに使い易い。【０１３１】  （第４実施形態）
本発明の第４実施形態に係る表示装置５０では、第３実施形態にて説明されたＲＧＢボタン押下処理（ステップＳ３２）において、操作部４０の「ＲＧＢ３」ボタン５３の押下によって、上記のデジタルＰＣ入力映像から、上記のデジタルビデオ入力映像に切り替える。本発明の第４実施形態に係る表示装置５０では、第３実施形態にて説明されたビデオボタン押下処理（ステップＳ３４）において、操作部４０の「ビデオ３」ボタン６３の押下によって、上記のデジタルビデオ入力映像から、上記のデジタルＰＣ入力映像に切り替える。本発明の第４実施形態に係る表示装置５０では、第３実施形態と重複する説明を省略する。【０１３２】  図１６は、本発明の第４実施形態に係る表示装置５０の動作としてＲＧＢボタン押下処理（ステップＳ３２）を示すフローチャートである。使用者が操作部４０の「ＲＧＢ１」ボタン５１を押したとき（ステップＳ４１−ＹＥＳ）、表示制御部２２は、図示されないＰＣ入力用カウンタのカウント数ｉと図示されないビデオ入力用カウンタのカウント数ｊとをクリアし（ステップＳ４４）、上記の第１アナログＰＣ端子選択信号を表示信号処理部２１に出力する。この場合、表示装置５０は、第１実施形態と同じ「ＲＧＢ１」選択処理を行う（ステップＳ１２）。【０１３３】  使用者が操作部４０の「ＲＧＢ２」ボタン５２を押したとき（ステップＳ４１−ＮＯ、Ｓ４２−ＹＥＳ）、表示制御部２２は、図示されないＰＣ入力用カウンタのカウント数ｉと図示されないビデオ入力用カウンタのカウント数ｊとをクリアし（ステップＳ４５）、上記の第２アナログＰＣ端子選択信号を表示信号処理部２１に出力する。この場合、表示装置５０は、第１実施形態と同じ「ＲＧＢ２」選択処理を行う（ステップＳ１４）。【０１３４】  使用者が操作部４０の「ＲＧＢ３」ボタン５３を押したとき（ステップＳ４１−ＮＯ、Ｓ４２−ＮＯ、Ｓ４３）、表示制御部２２は、図示されないＰＣ入力用カウンタのカウント数ｉに１をインクリメントし、図示されないビデオ入力用カウンタのカウント数ｊをクリアする（ステップＳ４６）。【０１３５】  図示されないＰＣ入力用カウンタのカウント数ｉが１であるとき、即ち、使用者が操作部４０の「ＲＧＢ３」ボタン５３を１回押したとき（ステップＳ４７−ＹＥＳ）、表示制御部２２は、上記のデジタルＰＣ入力選択信号を表示信号処理部２１に出力する。この場合、表示装置５０は、第１実施形態と同じ「ＲＧＢ３／ビデオ３（ＰＣ入力モード）」選択処理（ステップＳ１６）とＰＣ対応ＥＤＩＤメモリ部選択処理（ステップＳ１７）とを同時に行う。【０１３６】  図示されないＰＣ入力用カウンタのカウント数ｉが２であるとき、即ち、使用者が操作部４０の「ＲＧＢ３」ボタン５３をもう一度押したとき（２回目）（ステップＳ４７−ＮＯ、Ｓ４８−ＹＥＳ）、表示制御部２２は、上記のデジタルビデオ入力選択信号を表示信号処理部２１に出力する。この場合、表示装置５０は、第１実施形態と同じ「ＲＧＢ３／ビデオ３（ビデオ入力モード）」選択処理（ステップＳ２６）とＣＥ対応ＥＤＩＤメモリ部選択処理（ステップＳ２７）とを同時に行う。【０１３７】  図示されないＰＣ入力用カウンタのカウント数ｉが３であるとき、即ち、使用者が操作部４０の「ＲＧＢ３」ボタン５３をもう一度押したとき（３回目）（ステップＳ４７−ＮＯ、Ｓ４８−ＮＯ）、表示制御部２２は、図示されないＰＣ入力用カウンタのカウント数ｉを１にして（ステップＳ４９）、ステップＳ４７を実行する。【０１３８】  図１７は、本発明の第４実施形態に係る表示装置５０の動作としてビデオボタン押下処理（ステップＳ３４）を示すフローチャートである。使用者が操作部４０の「ビデオ１」ボタン６１を押したとき（ステップＳ５１−ＹＥＳ）、表示制御部２２は、図示されないＰＣ入力用カウンタのカウント数１と図示されないビデオ入力用カウンタのカウント数ｊとをクリアし（ステップＳ５４）、上記の第１アナログビデオ端子選択信号を表示信号処理部２１に出力する。この場合、表示装置５０は、第１実施形態と同じ「ビデオ１」選択処理を行う（ステップＳ２２）。【０１３９】  使用者が操作部４０の「ビデオ２」ボタン６２を押したとき（ステップＳ５１−ＮＯ、Ｓ５２−ＹＥＳ）、表示制御部２２は、図示されないＰＣ入力用カウンタのカウント数ｉと図示されないビデオ入力用カウンタのカウント数ｊとをクリアし（ステップＳ５５）、上記の第２アナログビデオ端子選択信号を表示信号処理部２１に出力する。この場合、表示装置５０は、第１実施形態と同じ「ビデオ２」選択処理を行う（ステップＳ２４）。【０１４０】  使用者が操作部４０の「ビデオ３」ボタン６３を押したとき（ステップＳ５１−ＮＯ、Ｓ５２−ＮＯ、Ｓ５３）、表示制御部２２は、図示されないＰＣ入力用カウンタのカウント数ｉをクリアし、図示されないビデオ入力用カウンタのカウント数ｊに１をインクリメントする（ステップＳ５６）。【０１４１】  図示されないビデオ入力用カウンタのカウント数ｊが１であるとき、即ち、使用者が操作部４０の「ビデオ３」ボタン６３を１回押したとき（ステップＳ５７−ＹＥＳ）、表示制御部２２は、上記のデジタルビデオ入力選択信号を表示信号処理部２１に出力する。この場合、表示装置５０は、第１実施形態と同じ「ＲＧＢ３／ビデオ３（ビデオ入力モード）」選択処理（ステップＳ２６）とＣＥ対応ＥＤＩＤメモリ部選択処理（ステップＳ２７）とを同時に行う。【０１４２】  図示されないビデオ入力用カウンタのカウント数ｊが２であるとき、即ち、使用者が操作部４０の「ビデオ３」ボタン６３をもう一度押したとき（２回目）（ステップＳ５７−ＮＯ、Ｓ５８−ＹＥＳ）、表示制御部２２は、上記のデジタルＰＣ入力選択信号を表示信号処理部２１とに出力する。この場合、表示装置５０は、第１実施形態と同じ「ＲＧＢ３／ビデオ３（ＰＣ入力モード）」選択処理（ステップＳ１６）とＰＣ対応ＥＤＩＤメモリ部選択処理（ステップＳ１７）とを同時に行う。【０１４３】  図示されないビデオ入力用カウンタのカウント数ｊが３であるとき、即ち、使用者が操作部４０の「ビデオ３」ボタン６３をもう一度押したとき（３回目）（ステップＳ５７−ＮＯ、Ｓ５８−ＮＯ）、表示制御部２２は、図示されないビデオ入力用カウンタのカウント数ｊを１にして（ステップＳ５９）、ステップＳ５７を実行する。【０１４４】  なお、表示制御部２２は、使用者が操作部４０の「ＲＧＢ３」ボタン５３を３回押した���きに、ステップＳ４９を実行し、ステップＳ４７に移行するが、使用者が操作部４０のＲＧＢ３」ボタン５３を一定時間（所定時間）押したときに、ステップＳ４９を実行し、ステップＳ４７に移行することもできる。また、表示制御部２２は、使用者が操作部４０の「ビデオ３」ボタン６３を３回押したときに、ステップＳ５９を実行し、ステップＳ５７に移行するが、使用者が操作部４０の「ビデオ３」ボタン６３を一定時間（所定時間）押したときに、ステップＳ５９を実行し、ステップＳ５７に移行することもできる。【０１４５】  また、上記のステップＳ４４、Ｓ４５、Ｓ４６、Ｓ５４、Ｓ５５において、図示されないビデオ入力用カウンタのカウント数ｊをクリアしているが、図示されないビデオ入力用カウンタのカウント数ｊをクリアせずに、そのカウント数ｊを保持することもできる。同様に、上記のステップＳ４４、Ｓ４５、Ｓ５４、Ｓ５５、Ｓ５６において、図示されないＰＣ入力用カウンタのカウント数ｉをクリアしているが、図示されないＰＣ入力用カウンタのカウント数ｉをクリアせずに、そのカウント数ｉを保持することもできる。【０１４６】  本発明の第４実施形態に係る表示装置５０によれば、使用者がホスト機器（図示されないＰＣ機器）とデジタル入力端子１５とを使用するときに、操作部４０の「ＲＧＢ３」ボタン５３を操作すればよく、使用者がホスト機器（図示されないＣＥ機器）とデジタル入力端子１５とを使用するときに、操作部４０の「ＲＧＢ３」ボタン５３を再度操作すればよい。また、使用者がホスト機器（図示されないＣＥ機器）とデジタル入力端子１５とを使用するときに、操作部４０の「ビデオ３」ボタン６３を操作すればよく、使用者がホスト機器（図示されないＰＣ機器）とデジタル入力端子１５とを使用するときに、操作部４０の「ビデオ３」ボタン６３を再度操作すればよい。このように、本発明の第４実施形態に係る表示装置５０によれば、使用者は、図示されないＰＣ機器と図示されないＣＥ機器とを切り替えるときに、同じボタンで操作すればよいため、第３実施形態の効果に加えて、使用者への負担がさらに軽減され、使用者にとってさらに使い易い。【０１４７】  以上の説明により、本発明の表示装置５０は、ホスト機器から適切な表示信号を得ることができる。
また、本発明の表示装置５０は、使用者がホスト機器とデジタル入力端子１５とを使用する際、適切な表示仕様情報を確実に選択することができる。
更に、本発明の表示装置５０は、使用者への負担を減らし、使用者にとって使い易い。
【図１】
0004773826.tif 000002
【図２】
0004773826.tif 000003
【図３】
0004773826.tif 000004
【図４】
0004773826.tif 000005
【図５】
0004773826.tif 000006
【図６】
0004773826.tif 000007
【図７】
0004773826.tif 000008
【図８】
0004773826.tif 000009
【図９】
0004773826.tif 000010
【図１０】
0004773826.tif 000011
【図１１】
0004773826.tif 000012
【図１２】
0004773826.tif 000013
【図１３】
0004773826.tif 000014
【図１４】
0004773826.tif 000015
【図１５】
0004773826.tif 000016
【図１６】
0004773826.tif 000017
【図１７】
0004773826.tif 000018